(57)【要約】【課題】配線孔部材に設けられた配線孔が開いた状態で手を挿入しても配線孔部材を取り外すことができない構造を提供すること。【解決手段】電気電子機器収納用箱の開口部に取り付けられる配線孔部材１であって、開口部の端部に係止させる爪部３３と、ケーブルを通過させる配線孔３４と、摺動自在に移動することで配線孔を開閉するパネル部４を備え、配線孔を開口させた際に、パネル部を爪部に隣接させることで、爪部の移動を禁止する構成とする。【選択図】図６
2019054030.tif 000002
【特許請求の範囲】
【請求項１】
電気電子機器収納用箱の開口部に取り付けられる配線孔部材であって、
開口部の端部に係止させる爪部と、
ケーブルを通過させる配線孔と、
摺動自在に移動することで配線孔を開閉するパネル部を備え
配線孔を開口させた際に、パネル部を爪部に隣接させることで、爪部の移動を禁止する配線孔部材。
【請求項２】
パネル部の摺動をガイドする溝部及び溝部に嵌る突起部を備えた摺動部と、
パネル部が段階的に移動するように規制する規制部を備えた請求項１に記載の配線孔部材。
【請求項３】
摺動部と規制部が離れた位置に設けられた請求項２に記載の配線孔部材。
【発明の詳細な説明】
【技術分野】
【０００１】
本発明は、電気電子機器収納用箱の開口部に取り付けられる配線孔部材に関するものである。
【背景技術】
【０００２】
特許文献１に記載されているように、開口部に配線孔部材を装着することが知られている。配線孔部材は爪部により開口部に係止されており、配線孔を有する本体部と、本体部の配線孔を被覆したり開口したりするパネル部を備えている。例えば、配線孔部材が開口するようにパネル部を配置すれば、配線孔部材内にケーブルを通過させることができる。また、ケーブルを使用しない場合は開口部を覆う状態とし、塵などが開口部に侵入することを抑制することができる。
【先行技術文献】
【特許文献】
【０００３】
【特許文献１】特開平１１−１７７２４９号公報
【０００４】
ところで、特許文献１に記載されたような構造であると、パネル部を開放させた状態で、配線孔から手を挿入して爪部を操作することができる。したがって、配線孔から手を挿入して配線孔部材を取り外すことができる。配線孔部材を取り外せば、内部の機器に触れることが可能となってしまうため、セキュリティ上、問題が生じる虞があった。
【発明の概要】
【発明が解決しようとする課題】
【０００５】
本件の発明者は、この点について鋭意検討することにより、解決を試みた。本発明の課題は、配線孔部材に設けられた配線孔が開いた状態で手を挿入しても配線孔部材を取り外すことができない構造を提供することである。
【課題を解決するための手段】
【０００６】
上記課題を解決するため、電気電子機器収納用箱の開口部に取り付けられる配線孔部材であって、開口部の端部に係止させる爪部と、ケーブルを通過させる配線孔と、摺動自在に移動することで配線孔を開閉するパネル部を備え、配線孔を開口させた際に、パネル部を爪部に隣接させることで、爪部の移動を禁止する配線孔部材とする。
【０００７】
また、パネル部の摺動をガイドする溝部及び溝部に嵌る突起部を備えた摺動部と、パネル部が段階的に移動するように規制する規制部を備えた構成とすることが好ましい。
【０００８】
また、摺動部と規制部が離れた位置に設けられた構成とすることが好ましい。
【発明の効果】
【０００９】
本発明では、配線孔部材に設けられた配線孔が開いた状態で手を挿入しても配線孔部材を取り外すことができない構造を提供することが可能となる。
【図面の簡単な説明】
【００１０】
【図１】実施形態の配線孔部材を備えた電気電子機器収納用箱の斜視図である。
【図２】電気電子機器収納用箱から配線孔部材とブラインドシートを分離した状態を表した斜視図である。ただし、電気電子機器収納用箱の側面を覆う部材は省略している。
【図３】配線孔部材を斜め上方から見た斜視図である。ただし、配線孔は閉じている。
【図４】配線孔部材を斜め下方から見た斜視図である。ただし、配線孔は閉じている。
【図５】配線孔部材を斜め上方から見た斜視図である。ただし、配線孔は開いている。
【図６】配線孔部材を斜め下方から見た斜視図である。ただし、配線孔は開いている。
【図７】配線孔部材を天井板に設けられた開口部に取り付ける直前の状態を示した図である。
【図８】パネル部の斜視図である。
【図９】パネル部を本体部に取り付ける直前の状態における、配線孔部材を斜め下方から見た斜視図である。
【図１０】配線孔部材の摺動部を表した断面図である。
【図１１】配線孔部材の規制部を表した断面図である。
【図１２】底面開口とブラインドシートの斜視図である。
【図１３】底面開口をブラインドシートで覆った状態を示した斜視図である。
【図１４】ブラインドシートの切込を破ることで確保した空間に、ケーブルを通した状態を示した図である。
【図１５】ブラインドシートの平面図である。ただし、切込の端部に丸孔を設けていない。
【図１６】切込の端部に丸孔を設けたブラインドシートの平面図である。
【発明を実施するための形態】
【００１１】
以下に発明を実施するための形態を示す。本実施形態の配線孔部材１は、電気電子機器収納用箱２の開口部２１に取り付けられるものであって、開口部２１の端部に係止させる爪部３３と、ケーブルを通過させる配線孔３４と、を備えた本体部３を備えている。また、本体部３に備えられた配線孔３４の開閉に用いられるパネル部４を備えている。そして、本実施形態の配線孔部材１は、パネル部４を摺動させて配線孔３４を開口させた際に、パネル部４を爪部３３に隣接させることで、爪部３３の移動を禁止する。このため、配線孔部材１に設けられた配線孔３４が開いた状態で手を挿入しても配線孔部材１を取り外すことができない構造とすることが可能となる。
【００１２】
図１及び図２に示すことから理解されるように、本実施形態の電気電子機器収納用箱２は、天井板２２や側板２３や扉２４を備えている。また、天井板２２に平面視四角形状の開口部２１を備えている。配線孔部材１はこの開口部２１に挿入して係止して固定される。なお、複数の開口部２１がある場合は、開口部２１毎に配線孔部材１を取り付けることが可能であるが、一部の開口部２１については、配線孔部材１の代わりに換気扇ユニットを取り付けるようにしても良い。本実施形態においては、図１に示すように扉２４と配線孔部材１との位置関係が前後方向、側板２３方向が左右方向、配線孔部材１と底面開口２６との位置関係が上下方向を示すものである。
【００１３】
実施形態の配線孔部材１は本体部３とパネル部４からなるものである。図３から図６に示すことから理解されるように、本体部３は配線孔３４を備えた天面部３１と、天面部３１の裏面側（電気電子機器収納用箱２の内部側）に延びる側面部３２を備えている。側面部３２には、弾性変形可能な爪部３３を備えている。実施形態においては、配線孔３４の開閉時にパネル部４が摺動自在に移動するものであり、爪部３３が、配線孔３４から見てパネル部４の摺動方向側、すなわち、配線孔３４と爪部３３が前後方向にずらして設けられている。したがって、パネル部４を摺動させて配線孔３４を開放した際には、爪部３３の移動を禁止することができ、爪部３３と開口部２１とが係止した状態の解除ができないようにすることが可能となる。このようにして、パネル部４によって配線孔３４を全閉させた場合には、パネル部４は爪部３３の弾性変形の障害とはならないものとしつつ、パネル部４を摺動させて配線孔３４を開いた状態とした際に、パネル部４が爪部３３の変形の障害となるような構成としている。つまり、配線孔部材１を取り外す場合には、パネル部４によって配線孔３４を全閉させた状態で、電気電子機器収納用箱２の内側から爪部３３を操作する。そのため、電気電子機器収納用箱２の外側からは取り外すことが出来ず、電気電子機器収納用箱２の側板２３や扉２４を開放して操作できる構造となっている。
【００１４】
側面部３２の左右側の部位を構成する左右面の内面側には、パネル部４を摺動可能に支持するパネル保持部３５が複数突出している。側面部３２には弾性変形可能な爪部３３が形成されており、側面部３２のうち、この爪部３３を形成した左右側の側面部３２と直交する面である直交面３９には、開口部２１の端部と係合する係合部３６を備えている。このため、係合部３６を開口部２１の端部に係合させてから、回動させるようにすれば、爪部３３を開口部２１に係止させることができるため、配線孔部材１の取り付けをしやすいものとすることができる。また、筐体内側から配線孔部材１を取り外す場合、左右側の側面部３２の爪部３３の係止のみを解除すれば良く、取り外しをしやすいものとすることができる。
【００１５】
係合部３６を形成した直交面３９との対向側は側面部３２を形成しない開放された状態となっており、開放端部側からパネル部４を着脱可能としている。そして、複数形成したパネル保持部３５のうち、開放端部側のパネル保持部３５ａは、係合部３６側のものより、本体部３の裏面との間隔を広くしているため、パネル部４の挿入作業が行いやすくなる。また、本実施形態では、パネル部４を本体部３に対して水平にしたときにガタツキが起こらないようにするため、本体部３の裏面には、開放端部側に幅広に形成したパネル保持部３５に対応する位置に突出部３７を形成している。
【００１６】
また、左右に位置する側面部３２の開放端部側は配線孔部材１を挿入しやすいように曲面状としたＲ部３８が形成されている。このため、配線孔部材１の挿入時に、図７に示す状態から、Ｒ部３８が開口部２１の端部に接するように移動させれば、係合部３６を開口部２１の端部に係合させた状態とするとともに、爪部３３を開口部２１の端部に係止させた状態とすることができる。
【００１７】
実施形態のパネル部４は、図８に示すように、線状の突起部５１を備えている。また、図９及び図１０に示すことから理解されるように、本体部３の天面部３１には、突起部５１の摺動をガイドする溝部５２を備えている。突起部５１と溝部５２により構成された摺動部５は、パネル部４の左右両側に設けられているが、図１１に示すように、両摺動部５の間には、パネル部４の移動を段階的に規制する規制部６を備えている。なお、規制部６の構成要素である孔部６２のうち、配線孔３４側から一つ目の孔部６２ａに凸部６１を係合させた場合、爪部３３に対応する位置にパネル部４が来るように構成している。
【００１８】
実施形態では、パネル部４側に設けた突起部５１と突起部５１との間に凸部６１を設けるとともに、天面部３１側における凸部６１に対応する位置に孔部６２を設けることで規制部６を構成している。図１１に示すように、孔部６２は、所定間隔をあけて複数設けられており、凸部６１が各々の孔部６２に嵌ると、パネル部４がやや移動しにくくなる。このような構成にすると、パネル部４が少し開いた状態を維持しやすくなる。
【００１９】
実施形態のように、パネル部４の摺動方向を規制する溝部５２及び溝部５２に嵌る突起部５１を備えた摺動部５とともに、パネル部４の移動を段階的に規制する規制部６を備える構造とすると、例えば、配線孔３４を通過させたケーブルが揺れてパネル部４に当たったとしてもパネル部４が開放しないようにすることができる。このように、意図的に開放操作しないとパネル部４が動作しないようにすることができるため、内部に塵埃等が侵入することを抑制することができる。
【００２０】
なお、摺動部５と規制部６が離れた位置に設けられた構成とすることにより、パネル部４を開放させるときに容易に移動させることができる。特に、摺動部５に対して最も離れている位置である中央位置に規制部６を形成すると、パネル部４を摺動させやすくすることができる。
【００２１】
ところで、図８に示すことから理解されるように、パネル部４の表面には、使用者が指を引っ掛けることが可能な操作部４１を備えており、この操作部４１を利用して、パネル部４の開閉をすることができる。本実施形態の操作部４１は、左右方向に長い形態としており、操作部４１の長手方向は、パネル部４の摺動方向に対して直交するような構成となっている。この操作部４１の両端には打ち抜くことが可能なノックアウト４２を設けている。このノックアウト４２を利用すれば、パネル部４を閉塞した状態でもケーブル９を通過させることができる。このため、通過させるケーブル９が少ないときは、ノックアウト４２を使用すれば、開口を最少限とすることができ、塵埃の侵入を抑制することができる。
【００２２】
また、電気電子機器収納用箱２の底面２５に設けた平面視四角形状の底面開口２６を、電気線などの通路として使用する場合がある。実施形態では、図１２及び図１３に示すことから理解されるように、筐体内部側の底面開口２６の周縁を覆うように可撓製のブラインドシート７を取り付けている。このブラインドシート７の取り付けには両面テープなどを用いることができる。
【００２３】
図１３及び図１４に示すことから理解されるように、実施形態のブラインドシート７は、その一部を切込に沿って破ることによって、片部を撓ませたりすることができる。筐体内部に張り付けられたブラインドシート７を筐体内側から外側に向かって撓ませた時、ブラインドシート７は底面開口２６の端部の板金部分を覆うことができる。
【００２４】
図１５及び図１６に示すように、実施形態のブラインドシート７は方形状であり、シートの両端には、角部に向けて傾斜させた切込７１を備えている。また、角部に向けて傾斜させた切込７１間には、縦横に延びる切込７２を設けている。したがって、どの部分を破っても、下方に垂れ下がる部位は、底面開口２６の端部を覆うことができ、電線が、底面開口２６の端部で破損することを抑制することができる。
【００２５】
また、縦横の切込７２と傾斜させた切込７１の交点７３は切込が交わらないように形成している。この構成を採用することにより必要以上にシートを破ることを防止することができる。また、図１６に示すように、切込の端部に丸孔７４を形成している。この構成を採用することによっても、必要以上にシートを破ることを防止することができる。
【００２６】
以上、一つの実施形態について説明してきたが、本発明は上記実施形態に限定されることはなく、各種の態様とすることが可能である。例えば、開口部は側板に形成するものでもよい。
【００２７】
また、溝部をパネル部側に設け、突起部を天面側に設けることも可能である。
【００２８】
摺動部と規制部を一体的に形成しても良い。
【符号の説明】
【００２９】
１  配線孔部材
２  電気電子機器収納用箱
３  本体部
４  パネル部
５  摺動部
６  規制部
２１  開口部
３３  爪部
３４  配線孔
３６  係合部
５１  突起部
５２  溝部
【図１】
2019054030.tif 000003
【図２】
2019054030.tif 000004
【図３】
2019054030.tif 000005
【図４】
2019054030.tif 000006
【図５】
2019054030.tif 000007
【図６】
2019054030.tif 000008
【図７】
2019054030.tif 000009
【図８】
2019054030.tif 000010
【図９】
2019054030.tif 000011
【図１０】
2019054030.tif 000012
【図１１】
2019054030.tif 000013
【図１２】
2019054030.tif 000014
【図１３】
2019054030.tif 000015
【図１４】
2019054030.tif 000016
【図１５】
2019054030.tif 000017
【図１６】
2019054030.tif 000018